【手続補正書】
【提出日】平成22年11月26日(2010.11.26)
【手続補正１】
【補正対象書類名】特許請求の範囲
【補正対象項目名】全文
【補正方法】変更
【補正の内容】
【特許請求の範囲】
【請求項１】
メモリに格納された命令を実行するプロセッサーを有するデバイスにより少なくとも一部を実施される方法であって、
第１の地理的な領域から第２の地理的な領域への前記デバイスの移動の結果として前記第２の地理的な領域における前記デバイスの位置に対応する位置特有データを前記プロセッサーが受信するステップであって、
前記デバイスは前記第１の地理的な領域に対して動作についての位置特有のルールの第１のセットに従って前記第１の地理的な領域において動作して、
前記位置特有データは前記第２の地理的な領域において前記デバイスを動作させるために動作についての位置特有のルールの第２のセットを提供して、
前記位置特有データは前記第２の地理的な領域への前記デバイスの移動の結果として前記デバイスにプッシュされて、前記デバイスが接続される第２の地理的な領域のネットワークまたはアクセスポイントの位置に基づいて前記デバイスにプッシュされる、
ステップと、
前記位置特有のルールの第２のセットに従って前記デバイスを動作させるために前記受信する位置特有データに基づいて前記デバイスの１つまたは複数の動作のパラメーターを前記プロセッサーが変更するステップと、
前記第２の地理的な領域内に位置する、より小さい領域内の前記デバイスの位置を前記プロセッサーが決定するステップと、
前記より小さい領域内の間ローカルネットワークに前記プロセッサーが接続するステップであって、前記より小さい領域は、動作についての位置特有のルールの第１のセットおよび第２のセットとは異なる、動作についての位置特有のルールの第３のセットを有する、ステップと、
前記より小さい領域内の間ローカルネットワークに接続する結果として前記ローカルネットワークを介して前記デバイスにおいて追加のデータを前記プロセッサーが受信するステップであって、前記追加のデータは、前記第２の地理的な領域内に位置する、前記より小さい領域に対して動作についての位置特有のルールの第３のセットに従って動作するよう前記デバイスを構成するために受信されて、前記より小さい領域内の前記デバイスの位置に基づいて前記デバイスにプッシュされて前記デバイスが前記より小さい領域内の間ローカルネットワークに接続する結果として前記デバイスにより自動的に受け入れられて、前記位置特有のルールの第３のセットは、前記位置特有のルールの第２のセットに従い、前記デバイスが１つまたは複数の機能を実行するのを防ぐための前記デバイス上のローカルポリシーに準拠させる、ステップと、
前記デバイスにプッシュされた追加のデータを自動的に受け入れる結果として前記より小さい領域に対して動作についての位置特有のルールの第３のセットに基づいて前記デバイスの１つまたは複数の動作のパラメーターを前記プロセッサーが変更するステップであって、前記位置特有のルールの第２のセットおよび第３のセットをフラグ付けして前記位置特有のルールの第２のセットおよび第３のセットのうちどちらが他のセットに対して優先されるかを特定して、前記より小さい領域は前記ローカルネットワークとして個々の無線ネットワークの範囲より定義されて、前記位置特有のルールの第３のセットは前記個々の無線ネットワークに対してローカルにホストされるが前記位置特有のルールの第１のセットおよび第２のセットは中央リポジトリにおいてホストされる、ステップと
を備えたことを特徴とする方法。
【請求項２】
前記デバイスにプッシュされた位置特有データまたは追加のデータは、前記デバイスの１つまたは複数の動作のパラメーターを変更するために前記デバイスにより自動的に受け入れられることを特徴とする請求項１に記載の方法。
【請求項３】
前記位置特有データは、前記第２の地理的な領域に対する前記デバイスに格納された位置特有データが期限切れであることを決定する結果として前記デバイスにプッシュされることを特徴とする請求項１に記載の方法。
【請求項４】
前記位置特有データまたは前記追加のデータは、ＳＭＳメッセージまたはＭＭＳメッセージとして前記デバイスにプッシュされることを特徴とする請求項１に記載の方法。
【請求項５】
前記デバイスは、前記第１の地理的な領域のネットワークまたはアクセスポイントに接続する結果として前記第１の地理的な領域に対する位置特有データに戻ることを特徴とする請求項１に記載の方法。
【請求項６】
前記位置特有データまたは前記追加のデータを前記デバイスにプッシュして、前記位置特有データを受け入れることを前記デバイスのユーザーにより試みられることを特徴とする請求項１に記載の方法。
【請求項７】
前記デバイスはコンピューターであり、前記１つまたは複数の動作のパラメーターを変更するステップは、前記コンピューターのオペレーティングシステムのバージョンを前記第１の地理的な領域の第１のバージョンから前記第２の地理的な領域の第２のバージョンへ変更するステップであって、前記第２のバージョンは前記第２の地理的な領域において使用するためのカスタムの背景およびスクリーンセイバーを提供する、ステップを含むことを特徴とする請求項１に記載の方法。
【請求項８】
前記第２の地理的な領域内の前記デバイスの位置は、
前記デバイスが接続されるネットワークを決定すること、および、
前記第２の地理的な領域内のネットワークの位置に基づいて前記デバイスの位置を特定すること
によって決定されることを特徴とする請求項１に記載の方法。
【請求項９】
追加の地理的な領域に対する追加の位置特有データを、前記デバイスが前に入ったことがない追加の地理的な領域へ入ると前記デバイスにプッシュすることを特徴とする請求項１に記載の方法。
【請求項１０】
前記位置特有のルールの第２のセットに対応するデータは、前記第２の地理的な領域内に置かれたホストにより保持されて、前記デバイスが前記第２の地理的な領域に対する期限切れの位置特有のルールを有するという決定が行われる場合前記第２の地理的な領域に入るとサービスプロバイダーにより前記デバイスにプッシュされることを特徴とする請求項１に記載の方法。
【請求項１１】
前記ローカルポリシーは、前記より小さい領域内の間前記デバイスが画像をキャプチャするのを防ぐことを特徴とする請求項１に記載の方法。
【請求項１２】
前記ローカルポリシーは、前記より小さい領域内の間前記デバイスが可聴のアラートを出すのを防ぐことを特徴とする請求項１に記載の方法。
【請求項１３】
コンピューターに、
デバイスの第１の位置に基づいて動作についての位置特有のルールの第１のセットに従って前記デバイスを動作させる手順であって、前記第１の位置は第１の地理的な領域内として定義される、手順と、
第２の地理的な領域への前記デバイスの再配置に対応する位置特有データにアクセスする手順であって、前記第２の地理的な領域は動作についての位置特有のルールの第２のセットを有して、前記動作についての位置特有のルールの第２のセットは前記第１の地理的な領域の動作についての位置特有のルールの第１のセットとは異なる、手順と、
前記位置特有データに基づいて前記デバイスの１つまたは複数の動作のパラメーターを変更する手順と、
前記第２の地理的な領域内の、より小さい領域に前記デバイスが入る結果として追加の位置特有データにアクセスする手順であって、前記より小さい領域は、個々の無線ネットワークの範囲により定義されて、位置特有のルールの第３のセットは、前記個々の無線ネットワークに対してローカルにホストされて、前記位置特有のルールの第２のセットに従い、前記デバイスが１つまたは複数の機能を実行するのを防ぐための前記デバイス上のローカルポリシーに準拠させる、手順と、
前記デバイスが前記より小さい領域に入るのに対応する前記追加の位置特有データにアクセスする結果として前記より小さい領域に対して動作についての位置特有のルールの第３のセットに基づいて前記デバイスの１つまたは複数の動作のパラメーターを変更する手順であって、前記位置特有のルールの第２のセットおよび第３のセットをフラグ付けして前記位置特有のルールの第２のセットおよび第３のセットのうちどちらが他のセットに対して優先されるかを特定する、手順と、
前記第２の地理的な領域内に位置する、より小さい領域内の前記デバイスの位置を決定する手順と、
前記より小さい領域内の間ローカルネットワークに接続する手順であって、前記より小さい領域は、動作についての位置特有のルールの第１のセットおよび第２のセットとは異なる、動作についての位置特有のルールの第３のセットを有する、手順と、
前記より小さい領域内の間ローカルネットワークに接続する結果として前記ローカルネットワークを介して前記デバイスにおいて追加のデータを受信する手順であって、前記追加のデータは、前記第２の地理的な領域内に位置する、前記より小さい領域に対して動作についての位置特有のルールの第３のセットに従って動作するよう前記デバイスを構成するために受信されて、前記より小さい領域内の前記デバイスの位置に基づいて前記デバイスにプッシュされて前記デバイスが前記より小さい領域内の間前記ローカルネットワークに接続する結果として前記デバイスにより自動的に受け入れられて、前記位置特有のルールの第３のセットは、前記位置特有のルールの第２のセットに従い、前記デバイスが１つまたは複数の機能を実行するのを防ぐための前記デバイス上のローカルポリシーに準拠させる、手順と、
前記デバイスにプッシュされた追加のデータを自動的に受け入れる結果として前記より小さい領域に対して動作についての位置特有のルールの第３のセットに基づいて前記デバイスの１つまたは複数の動作のパラメーターを変更する手順であって、前記位置特有のルールの第２のセットおよび第３のセットをフラグ付けして前記位置特有のルールの第２のセットおよび第３のセットのうちどちらが他のセットに対して優先されるかを特定して、前記より小さい領域は前記ローカルネットワークとして個々の無線ネットワークの範囲より定義されて、前記位置特有のルールの第３のセットは前記個々の無線ネットワークに対してローカルにホストされるが前記位置特有のルールの第１のセットおよび第２のセットは中央リポジトリにおいてホストされる、手順と
を実行させるためのプログラムを記録したコンピューター読み取り可能な記録媒体。
【請求項１４】
プロセッサーと、
実行されると前記プロセッサーに
デバイスの第１の位置に基づいて動作についての位置特有のルールの第１のセットに従って前記デバイスを動作させることであって、前記第１の位置は第１の地理的な領域内として定義される、動作させること、
前記デバイスが前記第１の地理的な領域から前記第１の地理的な領域の範囲外の第２の地理的な領域へ移動すると前記第２の地理的な領域内のネットワークに接続して前記デバイスの第２の位置を決定させることであって、前記第２の地理的な領域は動作についての位置特有のルールの第２のセットを有して、前記動作についての位置特有のルールの第２のセットは前記第１の地理的な領域の動作についての位置特有のルールの第１のセットとは異なる、決定させること、
前記第２の地理的な領域内の間前記ネットワークに接続する結果として前記ネットワークを介して前記デバイスにおいてデータを受信させることであって、前記データは、前記第２の地理的な領域に対して動作についての位置特有のルールの第２のセットに従って動作するよう前記デバイスを構成するために受信されて、前記デバイスの第２の位置に基づいてサービスプロバイダーにより前記デバイスにプッシュされて前記デバイスが前記第２の地理的な領域内の間前記ネットワークに接続する結果として前記デバイスにより自動的に受け入れられる、受信させること、
前記デバイスにプッシュされたデータを自動的に受け入れる結果として前記第２の領域に対して動作についての位置特有のルールの第２のセットに基づいて前記デバイスの１つまたは複数の動作のパラメーターを変更させること、
前記第２の地理的な領域内に位置する、より小さい領域内の前記デバイスの位置を決定させること、
前記より小さい領域内の間ローカルネットワークに接続させることであって、前記より小さい領域は、動作についての位置特有のルールの第１のセットおよび第２のセットとは異なる、動作についての位置特有のルールの第３のセットを有する、接続させること、
前記より小さい領域内の間ローカルネットワークに接続する結果として前記ローカルネットワークを介して前記デバイスにおいて追加のデータを受信させることであって、前記追加のデータは、前記第２の地理的な領域内に位置する、前記より小さい領域に対して動作についての位置特有のルールの第３のセットに従って動作するよう前記デバイスを構成するために受信されて、前記より小さい領域内の前記デバイスの位置に基づいて前記デバイスにプッシュされて前記デバイスが前記より小さい領域内の間前記ローカルネットワークに接続する結果として前記デバイスにより自動的に受け入れられて、前記位置特有のルールの第３のセットは、前記位置特有のルールの第２のセットに従い、前記デバイスが１つまたは複数の機能を実行するのを防ぐための前記デバイス上のローカルポリシーに準拠させる、受信させること、および、
前記デバイスにプッシュされた追加のデータを自動的に受け入れる結果として前記より小さい領域に対して動作についての位置特有のルールの第３のセットに基づいて前記デバイスの１つまたは複数の動作のパラメーターを変更させることであって、前記位置特有のルールの第２のセットおよび第３のセットをフラグ付けして前記位置特有のルールの第２のセットおよび第３のセットのうちどちらが他のセットに対して優先されるかを特定して、前記より小さい領域は前記ローカルネットワークとして個々の無線ネットワークの範囲より定義されて、前記位置特有のルールの第３のセットは前記個々の無線ネットワークに対してローカルにホストされるが前記位置特有のルールの第１のセットおよび第２のセットは中央リポジトリにおいてホストされる、変更させること
を行う実行可能な命令を格納するよう構成されるメモリと
を備えたデバイス。
【請求項１５】
ローカルシステムは、前記位置特有のルールの第３のセットに対する追加のデータが前記デバイスにプッシュされたことを示すリストを保持して、前記デバイスが前記より小さい領域から移動し再び前記より小さい領域内に入ると、前記ローカルシステムは前記リストを使用して前記追加のデータを前記デバイスにもう一度プッシュするかどうかを決定することを特徴とする請求項１４に記載のデバイス。
【請求項１６】
実行されると前記プロセッサーに
前記デバイスが前記第１の地理的な領域に戻ると、前記第１の地理的な領域内の間前記ネットワークに接続させて、前記デバイスの第３の位置を決定させること、
前記第１の地理的な領域内の間前記ネットワークに接続する結果として前記ネットワークを介して前記デバイスにおいて新しいデータを受信させることであって、前記新しいデータは、前記第１の地理的な領域に対して動作についての位置特有のルールの第１のセットに従って動作するよう前記デバイスを構成するために受信されて、前記第１の領域内の前記デバイスの第３の位置に基づいて前記サービスプロバイダーにより前記デバイスにプッシュされて、前記デバイスが前記第１の領域内の間前記ネットワークに接続する結果として前記デバイスにより自動的に受け入れられる、受信させること、および、
前記デバイスにプッシュされた新しいデータを自動的に受け入れる結果として前記第１の領域に対して動作についての位置特有のルールの第１のセットに基づいて前記デバイスの１つまたは複数の動作のパラメーターを変更させること
を行う実行可能な命令をさらに格納するよう構成されるメモリを備えたことを特徴とする請求項１４に記載のデバイス。